(57)【要約】【課題】  湧水や雨水、雪解け水等によって浮き上がることがなく、溝底部の所定位置に確実に敷設することができる暗渠排水パイプを提供する。【解決手段】  排水や潅漑を行うために地中に埋設して使用する暗渠排水パイプ１１において、合成樹脂からなるパイプ材１２の一端に上半部１３ｂが先端方向に向けて上方に拡開した接続用受口１３を設けるとともに、埋設時にパイプ天面となる部分に排気孔１４を、パイプ底面となる部分に導水孔１５を、パイプ中心より下方側となる周面部分に多数の通水孔１６をそれぞれ設ける。【選択図】  図１
2005299904.tif 000002
【特許請求の範囲】
【請求項１】
排水や潅漑を行うために地中に埋設して使用する暗渠排水パイプにおいて、合成樹脂からなるパイプ材の周面に多数の通孔を設けるとともに、該パイプ材の一端に、上半部が先端方向に向けて上方に拡開した接続用受口を設けたことを特徴とする暗渠排水パイプ。
【請求項２】
排水や潅漑を行うために地中に埋設して使用する暗渠排水パイプにおいて、合成樹脂からなるパイプ材の埋設時にパイプ天面となる部分に排気孔を、パイプ底面となる部分に導水孔をそれぞれ設けるとともに、パイプ中心より下方側となる部分に多数の通水孔を設けたことを特徴とする暗渠排水パイプ。
【請求項３】
排水や潅漑を行うために地中に埋設して使用する暗渠排水パイプにおいて、合成樹脂からなるパイプ材の一端に上半部が先端方向に向けて上方に拡開した接続用受口を設けるとともに、埋設時にパイプ天面となる部分に排気孔を、パイプ底面となる部分に導水孔を、パイプ中心より下方側となる周面部分に多数の通水孔をそれぞれ設けたことを特徴とする暗渠排水パイプ。
【請求項４】
前記パイプ材が塩化ビニル製であることを特徴とする請求項１乃至３いずれか１項記載の暗渠排水パイプ。
【請求項５】
前記通水孔は、埋設時のパイプ中心を通る鉛直線に対して、底面側から３０〜８０度の範囲内に設けられていることを特徴とする請求項１乃至３いずれか１項記載の暗渠排水パイプ。
【請求項６】
前記排気孔及び導水孔は、前記通水孔より小径であることを特徴とする請求項１乃至３いずれか１項記載の暗渠排水パイプ。
【請求項７】
前記パイプ材は、埋設時のパイプ材の天地方向を位置決めする手段を備えていることを特徴とする請求項１乃至３いずれか１項記載の暗渠排水パイプ。
【発明の詳細な説明】
【技術分野】
【０００１】
本発明は、暗渠排水パイプに関し、詳しくは、湿地における排水暗渠や、田畑における地下灌漑用暗渠を形成するために用いられる暗渠排水パイプに関する。
【背景技術】
【０００２】
従来から、排水暗渠を形成するする際には、周壁に通水孔を設けた暗渠排水パイプを暗渠底部に敷設し、周辺の土壌中の水分を通水孔を通してパイプ内に流入させ、暗渠排水パイプ内を通して排水路に排出するようにしている。また、田畑の地下灌漑を行う場合は、暗渠排水パイプの通水孔を通して用水の供給や排出を行うようにしている（例えば、特許文献１参照。）。
【特許文献１】特開２００２−３４３６２号公報
【発明の開示】
【発明が解決しようとする課題】
【０００３】
従来の暗渠排水パイプは、溝内にパイプを敷設する際の作業性を重視して柔軟なポリエチレン製フレキシブルパイプを用いている。しかし、このフレキシブルパイプが敷設された溝内に地中からの湧水や雨水、雪解け水等が溝内に溜まると、パイプ自体が浮き上がってしまい、所定の位置に埋設することができなくなることがあった。このため、溝の掘削、暗渠排水パイプの敷設及び埋め戻しを略同時に行えるように、溝を掘削するトレンチャーに暗渠排水パイプの敷設装置及び埋め戻し装置を装備させておく必要があり、施工コストが増大する原因の一つとなっている。
【０００４】
そこで本発明は、パイプの周囲に湧水や雨水、雪解け水等が溜まっても浮き上がることがなく、溝底部の所定位置に確実に敷設することができるとともに、施工作業が簡単かつ確実に行える暗渠排水パイプを提供することを目的としている。
【課題を解決するための手段】
【０００５】
上記目的を達成するため、本発明の暗渠排水パイプの第１の構成は、排水や潅漑を行うために地中に埋設して使用する暗渠排水パイプにおいて、合成樹脂からなるパイプ材の周面に多数の通孔を設けるとともに、該パイプ材の一端に、上半部が先端方向に向けて上方に拡開した接続用受口を設けたことを特徴としている。
【０００６】
本発明の暗渠排水パイプの第２の構成は、合成樹脂からなるパイプ材の埋設時にパイプ天面となる部分に排気孔を、パイプ底面となる部分に導水孔をそれぞれ設けるとともに、パイプ中心より下方側となる部分に多数の通水孔を設けたことを特徴としている。
【０００７】
本発明の暗渠排水パイプの第３の構成は、排水や潅漑を行うために地中に埋設して使用する暗渠排水パイプにおいて、合成樹脂からなるパイプ材の一端に上半部が先端方向に向けて上方に拡開した接続用受口を設けるとともに、埋設時にパイプ天面となる部分に排気孔を、パイプ底面となる部分に導水孔を、パイプ中心より下方側となる周面部分に多数の通水孔をそれぞれ設けたことを特徴としている。
【０００８】
さらに、本発明の暗渠排水パイプは、前記パイプ材が塩化ビニル製であること、前記通水孔は、埋設時のパイプ中心を通る鉛直線に対して、底面側から３０〜８０度の範囲内に設けられていること、前記排気孔及び導水孔は、前記通水孔より小径であること、前記パイプ材が埋設時のパイプ材の天地方向を位置決めする手段を備えていることを特徴としている。
【発明の効果】
【０００９】
パイプ材の一端に、上半部が先端方向に向けて上方に拡開した接続用受口を設けることにより、柔軟性がない塩化ビニル製の暗渠排水パイプの接続を溝内で容易に行うことができる。また、周面に多数の通孔を設けることにより、特に、パイプ天面となる部分に排気孔を、パイプ底面となる部分に導水孔を、パイプ中心より下方側となる部分に多数の通水孔を、それぞれ設けることにより、溝内に水が溜まったときに、パイプ内に水をスムーズに導入することができ、パイプ内に残留する空気の浮力で暗渠排水パイプが浮き上がることを防止できる。
【００１０】
また、通水孔をパイプ中心より下方側となる周面部分に設けることによって植物の根が通水孔からパイプ内に侵入することを抑制することができ、天面の排気孔や底面の導水孔を小径に形成しておくことにより、パイプ内への根の侵入や土砂の流入をより確実に減少させることができる。さらに、暗渠排水パイプに比重が１以上の合成樹脂、例えば塩化ビニル製のパイプを用いることにより、暗渠排水パイプの浮き上がりがより一層抑制されるため、暗渠排水パイプを溝底部の所定位置に確実に敷設することができる。
【発明を実施するための最良の形態】
【００１１】
図１乃至図５は、本発明の暗渠排水パイプの一形態例を示すもので、図１は一部断面正面図、図２は図１のII−II線断面図、図３は図１のIII−III線断面図、図４は図１のIV−IV線断面図、図５は施工状態の説明図である。
【００１２】
この暗渠排水パイプ１１は、比重が１よりも大きな塩化ビニル樹脂からなるパイプ材１２の一端に接続用受口１３を設けるとともに、埋設時にパイプ天面となる部分に排気孔１４を、パイプ底面となる部分に導水孔１５を、パイプ中心より下方側となる周面部分に多数の通水孔１６を、それぞれ設けたものである。
【００１３】
接続用受口１３は、パイプ材１２の外径に対応した内径を有する嵌合部１３ａと、該嵌合部１３ａの先端側で上半部１３ｂが上方に拡開したガイド部１３ｃとで形成されている。嵌合部１３ａは、先端開口側が僅かに（１〜数ｍｍ程度）拡開した円筒状に形成されており、接続するパイプ材１２の他端（差口部）１２ａを接続用受口１３内に挿入したときに、嵌合部１３ａと差口部１２ａとが密に嵌合して簡単には抜けないように形成されている。
【００１４】
また、ガイド部１３ｃは、図２〜図４にも示すように、埋設時のパイプ中心から上部側のみを上方に拡大させた長円形状のものであって、ガイド部１３ｃの上下方向の寸法は、嵌合部１３ａの上下方向の寸法に比べて１０〜２０％大きくなっており、横方向（水平方向）の寸法は嵌合部１３ａの横方向の寸法と同一か僅かに大きくなる程度に設定され、ガイド部１３ｃの下半部は嵌合部１３ａを延長した状態に設定されている。
【００１５】
このように形成した暗渠排水パイプ１１は、図５に示すように、圃場２１等に掘削された溝２２内に順次接続させながら敷設する。この暗渠排水パイプ１１の接続において、暗渠排水パイプ１１の一端に上半部１３ｂが先端方向に向けて上方に拡開した接続用受口１３を設けておくことにより、既に溝２２内に設置されている暗渠排水パイプ１１に対して、図５の左端に示すように、次に溝２２内に設置する暗渠排水パイプ１１Ａは、地上から他端の差口部１２Ａを溝２２内に斜めに挿入し、一端の接続用受口１３Ａ側を地上で支持しながら、先に設置した暗渠排水パイプ１１の接続用受口１３内に差口部１２ａを挿入することができる。
【００１６】
すなわち、一般的な受口形状を有する暗渠排水パイプの場合は、暗渠排水パイプを溝２２の底部に一直線状に配置した状態で、差口を受口内に挿入しながら受口方向に暗渠排水パイプ１１を移動させる必要があり、溝幅が狭いときには極めて困難な作業であったが、上述のような形状の接続用受口１３を形成しておくことにより、地上からの簡単な作業で暗渠排水パイプ１１の接続を行うことができ、暗渠排水パイプ１１の埋設工事を容易かつ確実に行うことができる。
【００１７】
このようなパイプ接続作業を行うため、接続用受口１３における上半部１３ｂの拡開角度や長さは、パイプ材１２の径や長さに応じた適当な寸法に設定することになる。例えば、溝２２の深さが１ｍで、パイプ材１２の長さが４ｍの場合、上半部１３ｂの拡開角度を１５度にすれば、暗渠排水パイプ１１Ａを斜めに溝２２内に挿入し、先に敷設した暗渠排水パイプ１１の接続用受口１３内に差口部１２Ａを挿入した状態で、接続用受口１３Ａ側を溝２２の上方に位置させることができる。また、上半部１３ｂの長さは、接続作業時に差口部１２Ａが接続用受口１３から簡単に抜けないように、数十ｃｍ程度にしておくことが好ましい。
【００１８】
地中に埋設された暗渠排水パイプ１１では、周壁上部側に設けた通水孔１６から植物の根がパイプ内に侵入することがあり、通水孔１６を塞いでしまうだけでなく、根の成長によってパイプ自体が閉塞されてしまうおそれがある。さらに、パイプ底面となる部分に通水孔１６を設けると、この通水孔１６からパイプ内に土砂が侵入しやすいなどの問題がある。
【００１９】
したがって、前記通水孔１６は、暗渠排水パイプ１１の全体で土壌中との水分のやりとりを行うため、パイプ全体に均一に設けることが好ましいが、埋設時に暗渠排水パイプ１１の上方側となる部分には通水孔１６を設けず、パイプ中心より下方側となる部分にのみ通水孔１６を設けることにより、通水孔１６からの根の侵入を回避することができ、パイプ底面となる部分に通水孔１６を設けないようにしておくことにより、土砂の侵入を抑えることができる。
【００２０】
さらに、埋設時のパイプ中心を通る鉛直線に対して、底面側から３０〜８０度の範囲内、好ましくは、４０〜７０度の範囲内、特に、６０度の付近に通水孔１６を設けておくことにより、根の侵入や土砂の侵入をより確実に防止することができる。なお、通水孔１６の径は任意に設定することができるが、通常は、３〜１０ｍｍ程度であり、６ｍｍ程度が最適である。
【００２１】
一方、上述のようにパイプ下方側となる部分に通水孔１６を設けると、施工時に溝２２内に水が湧き出たり、雨水等が溝２２内に流入したりして水が溜まった状態になると、通水孔１６からパイプ内に水が流入して通水孔１６より上方のパイプ内に空気が残留した状態になってしまうため、パイプ内の空気の浮力によって暗渠排水パイプ１１が浮き上がってしまうことになる。したがって、埋設時にパイプ天面となる部分に排気孔１４を設けておくことにより、通水孔１６からパイプ内に水が流入したときに、排気孔１４からパイプ内の空気を速やかに排気できるので、溝２２内への水の流入等による暗渠排水パイプ１１の浮き上がりを確実に防止することができる。
【００２２】
また、通水孔１６をパイプ底面を避けて設けた場合は、溝２２内の水面が最下方の通水孔１６より上方に達するまでの間はパイプ内に水が流入しないことになり、このときもパイプ内の空気の浮力によって暗渠排水パイプ１１が浮き上がってしまうことになる。したがって、埋設時にパイプ底面となる部分に導水孔１５を設けておくことにより、通水孔１６からパイプ内に水が流入するよりも前に、導水孔１５からパイプ内に速やかに水が流入するので、パイプ内に流入した水の重量によって暗渠排水パイプ１１の浮き上がりを確実に防止することができる。
【００２３】
このように、暗渠排水パイプ１１を形成するパイプ材１２として比重が１以上の合成樹脂、例えば塩化ビニル製のパイプを使用するとともに、所定位置に排気孔１４、導水孔１５、通水孔１６をそれぞれ設けておくことにより、溝２２内への水の流入によって暗渠排水パイプ１１が浮き上がることを確実に防止することができる。
【００２４】
前記排気孔１４や導水孔１５は、パイプ敷設時に所定の排気効果や導水効果を発揮すればよいため、暗渠排水パイプ１１の長さや径に応じて１箇所乃至数箇所に設けておくだけで十分であり、また、前述の根の侵入や土砂の侵入を防止するため、通水孔１６よりも小径、例えば、２〜４ｍｍ程度に形成しておくことが好ましい。
【００２５】
図６は、本発明の暗渠排水パイプの他の形態例を示す一部断面正面図であって、暗渠排水パイプラインの端部に設置される給排水枡や分岐管の管継手に接続するときなどに用いるのに適した形状の暗渠排水パイプを示している。すなわち、暗渠排水パイプ３１の一端には、通常の塩化ビニルパイプと略同形状の接続用受口３２を設けており、一般的な形状の差口を直線状に挿入できるようにしている。
【００２６】
このような暗渠排水パイプ３１を用意しておくことにより、給排水枡や水閘、管継手等として差口部分の長いものを用意する必要がなくなり、これらとの接続を従来と同様にして行うことができる。なお、排気孔１４、導水孔１５、通水孔１６は、前記形態例の暗渠排水パイプ１１と同様に設けられているので、これらの詳細な説明は省略する。
【００２７】
また、このような暗渠排水パイプ３１は、断面が円形状のパイプ材を使用すると、施工時に排気孔１４や導水孔１５の位置により暗渠排水パイプ３１の天地方向を確認しながら行う必要がある。この天地方向の確認作業を簡単に行えるようにするため、暗渠排水パイプ３１の全体又は一部に、暗渠排水パイプ３１の天地方向の位置決めを可能とする位置決めする手段を設けておくことが好ましい。
【００２８】
例えば、位置決め手段として、暗渠排水パイプ３１の全体を非円形状のパイプ、例えば楕円管や卵形管で形成することにより、接続時等において、円形パイプに比べて簡単に天地方向の位置決めを行うことができる。また、暗渠排水パイプ３１の一部の形状を、例えば図７に示すように、受口３２の外部形状を方形や楕円、長円形状にすることによっても、天地方向の位置決めを簡単に行うことができる。さらに、図８に示すように、暗渠排水パイプ３１に接続方向を規制する凹凸係合部３３を差口や受口に設けておくことにより、接続時に暗渠排水パイプ３１の天地方向を間違えることを防止できる。
【００２９】
加えて、暗渠排水パイプ３１の適当な位置、例えば受口近傍に、埋設時に下方となる方向に突出した固定ピンを一体的に設けておくことにより、暗渠排水パイプ３１の底面方向を確実に認識することができる。これらの位置決め手段は、それぞれ単独で用いてもよく、適宜組み合わせて用いることもできる。さらに、これらの位置決め手段を使用することにより、施工時のパイプのズレや蛇行も確実に抑えることができる。
【００３０】
本発明における暗渠排水パイプに使用するパイプ材の材質は、上述の塩化ビニル樹脂に限るものではなく、各種合成樹脂を使用可能である。例えば、比重が１未満のポリエチレン管も使用可能であり、必要に応じて形状を工夫したり、部品を付加したり、例えば前記固定ピン等を付加したりすることによって全体の比重を１以上にすることができ、溝内の水で暗渠排水パイプが浮き上がることを防止できる。また、施工場所によっては、埋設強度を確保するためのリブパイプを用いることもできる。
【産業上の利用可能性】
【００３１】
本発明の暗渠排水パイプは、湿地における排水暗渠や田畑における地下灌漑用暗渠に使用する暗渠排水パイプに最適である。
【図面の簡単な説明】
【００３２】
【図１】本発明の暗渠排水パイプの一形態例を示す一部断面正面図である。
【図２】図１のII−II線断面図である。
【図３】図１のIII−III線断面図である。
【図４】図１のIV−IV線断面図である。
【図５】施工状態の説明図である。
【図６】本発明の暗渠排水パイプの他の形態例を示す一部断面正面図である。
【図７】暗渠排水パイプの更に他の形態例を示す要部の斜視図である。
【図８】暗渠排水パイプの更に他の形態例を示す要部の斜視図である。
【符号の説明】
【００３３】
１１…暗渠排水パイプ、１２…パイプ材、１２ａ…差口部、１３…接続用受口、１３ａ…嵌合部、１３ｂ…上半部、１３ｃ…ガイド部、１４…排気孔、１５…導水孔、１６…通水孔、２１…圃場、２２…溝、３１…暗渠排水パイプ、３２…受口
【図１】
2005299904.tif 000003
【図２】
2005299904.tif 000004
【図３】
2005299904.tif 000005
【図４】
2005299904.tif 000006
【図５】
2005299904.tif 000007
【図６】
2005299904.tif 000008
【図７】
2005299904.tif 000009
【図８】
2005299904.tif 000010